(57)【要約】  表示部１３と、パネル１１と、パネル１１のタッチ面を振動させる触感呈示部１２と、表示部１３に表示された所定の文字に対応するタッチ面の触感呈示領域への接触を検知すると、該触感呈示領域に接触している接触対象に対して触感を呈示するように、所定の文字に関連付けられた触感呈示情報に基づいて触感呈示部１２を駆動する制御部１６と、を備える。
2012086208.tif 000002
【特許請求の範囲】
【請求項１】
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、
を備えることを特徴とする電子機器。
【請求項２】
前記制御部は、
異なる複数の触感呈示情報にそれぞれ対応する複数のオブジェクトを前記表示部に表示し、当該オブジェクトの１つと前記所定の文字とを関連付け、当該関連付けの後に、前記所定の文字に対応する前記タッチ面への接触を検出すると、前記オブジェクトの１つに対応する触感呈示情報に基づいて前記触感呈示部を駆動する、
ことを特徴とする請求項１に記載の電子機器。
【請求項３】
前記制御部は、
前記複数のオブジェクトの一に対応する前記タッチ面の接触領域への接触を検知すると、当該一のオブジェクトに対応する触感呈示情報に基づいて前記触感呈示部を駆動し、当該一のオブジェクトが前記所定の文字の前記触感呈示領域へ移動したのを検知すると、当該一のオブジェクトを前記所定の文字に関連付ける、
ことを特徴とする請求項２に記載の電子機器。
【請求項４】
前記制御部は、
前記表示部に表示された未変換文字の変換候補として、異なる触感呈示情報が関連付けられている同一変換候補を前記表示部に複数同時に表示し、該複数の同一変換候補の一に対応する前記タッチ面の接触領域への接触を検知すると、当該一の変換候補に対応する触感呈示情報に基づいて前記触感呈示部を駆動して、前記未変換文字を当該一の変換候補に変換して、当該触感呈示情報が関連付けられた前記所定の文字を表示する、
ことを特徴とする請求項１に記載の電子機器。
【請求項５】
前記タッチ面に対する押圧を検出する押圧検出部を有し、
前記制御部は、
前記一の変換候補に対応する前記タッチ面の接触領域への接触に伴う押圧に基づき前記押圧検出部が出力するデータが第１閾値を満たすと、当該一の変換候補に関連付けられた触感呈示情報に基づいて前記触感呈示部を駆動し、その後、前記押圧検出部が出力するデータが前記第１閾値よりも大きい第２閾値を満たすと、前記未変換文字を当該一の変換候補に変換して、当該触感呈示情報が関連付けられた前記所定の文字を表示する、
ことを特徴とする請求項４に記載の電子機器。
【請求項６】
無線通信ネットワークと無線接続可能な通信部を更に備え、
前記制御部は、
前記表示部に表示された文字情報を、当該文字情報に含まれる前記所定の文字に関連付けられた前記触感呈示情報とともに、前記通信部により前記無線通信ネットワークに送信する、
ことを特徴とする請求項１から５のいずれかに記載の電子機器。
【発明の詳細な説明】
【関連出願の相互参照】
【０００１】
本出願は、２０１０年１２月２２日に出願された日本国特許出願２０１０−２８６５０９号の優先権を主張するものであり、この先の出願の開示全体を、ここに参照のために取り込む。
【技術分野】
【０００２】
本発明は、電子機器に関するものである。
【背景技術】
【０００３】
従来の電子機器として、例えば、ニュース、小説、物語等の文章が入力されると、入力された文章に対して、使用されている単語毎に自動的に感情情報を付与し、その感情情報に基づいて入力された文章を、抑揚を付ける等の感情表現を付した音声として出力するものが知られている（例えば、特許文献１参照）。
【先行技術文献】
【特許文献】
【０００４】
【特許文献１】特開２００７−２６４２８４号公報
【発明の概要】
【発明が解決しようとする課題】
【０００５】
しかしながら、例えば「とても痛かった」と入力された場合、その「とても」の文字は、人によって感じ方や考え方が異なる。このようなことから、最近では、入力された文章を音声として出力する形態に限らず、電子機器の表示部に入力された文章を表示し、その表示された文章中の所望の文字を、視覚や聴覚以外の他の形態で使用者に示すことが望まれている。【０００６】
本発明は、かかる要望に応えるべくなされたもので、表示部に表示された文章中の所望の文字を視覚や聴覚以外の他の形態で呈示可能な電子機器を提供することを目的とするものである。
【課題を解決するための手段】
【０００７】
上記目的を達成する第１の観点に係る電子機器の発明は、
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、
を備えることを特徴とするものである。【０００８】
第２の観点に係る発明は、第１の観点に係る電子機器において、
前記制御部は、
異なる複数の触感呈示情報にそれぞれ対応する複数のオブジェクトを前記表示部に表示し、当該オブジェクトの１つと前記所定の文字とを関連付け、当該関連付けの後に、前記所定の文字に対応する前記タッチ面への接触を検出すると、前記オブジェクトの１つに対応する触感呈示情報に基づいて前記触感呈示部を駆動する、
ことを特徴とするものである。【０００９】
第３の観点に係る発明は、第２の観点に係る電子機器において、
前記制御部は、
前記複数のオブジェクトの一に対応する前記タッチ面の接触領域への接触を検知すると、当該一のオブジェクトに対応する触感呈示情報に基づいて前記触感呈示部を駆動し、当該一のオブジェクトが前記所定の文字の前記触感呈示領域へ移動したのを検知すると、当該一のオブジェクトを前記所定の文字に関連付ける、
ことを特徴とするものである。【００１０】
第４の観点に係る発明は、第１の観点に係る電子機器において、
前記制御部は、
前記表示部に表示された未変換文字の変換候補として、異なる触感呈示情報が関連付けられている同一変換候補を前記表示部に複数同時に表示し、該複数の同一変換候補の一に対応する前記タッチ面の接触領域への接触を検知すると、当該一の変換候補に対応する触感呈示情報に基づいて前記触感呈示部を駆動して、前記未変換文字を当該一の変換候補に変換して、当該触感呈示情報が関連付けられた前記所定の文字を表示する、
ことを特徴とするものである。【００１１】
第５の観点に係る発明は、第４の観点に係る電子機器において、
前記タッチ面に対する押圧を検出する押圧検出部を有し、
前記制御部は、
前記一の変換候補に対応する前記タッチ面の接触領域への接触に伴う押圧に基づき前記押圧検出部が出力するデータが第１閾値を満たすと、当該一の変換候補に関連付けられた触感呈示情報に基づいて前記触感呈示部を駆動し、その後、前記押圧検出部が出力するデータが前記第１閾値よりも大きい第２閾値を満たすと、前記未変換文字を当該一の変換候補に変換して、当該触感呈示情報が関連付けられた前記所定の文字を表示する、
ことを特徴とするものである。【００１２】
第６の観点に係る発明は、第１から５のいずれかの観点に係る電子機器において、
無線通信ネットワークと無線接続可能な通信部を更に備え、
前記制御部は、
前記表示部に表示された文字情報を、当該文字情報に含まれる前記所定の文字に関連付けられた前記触感呈示情報とともに、前記通信部により前記無線通信ネットワークに送信する、
ことを特徴とするものである。
【発明の効果】
【００１３】
本発明によれば、表示部に表示された文章中の所望の文字を触覚により呈示することが可能になる。
【図面の簡単な説明】
【００１４】
【図１】本発明の一実施の形態に係る電子機器の要部の概略構成を示す機能ブロック図である。
【図２】図１に示した電子機器の実装構造の一部を示す概略構成図である。
【図３】図１に示した電子機器による第１動作例における表示部の表示例を示す図である。
【図４】図３の表示例における触感の呈示態様を示す図である。
【図５】図１に示した電子機器による第２動作例における表示部の表示例を示す図である。
【図６】図１に示した電子機器による触感呈示態様の変形例を示す表示例である。
【発明を実施するための形態】
【００１５】
以下、本発明の実施の形態について、図を参照して説明する。なお、本明細書において、「文字」とは、「記号」と同義語であり、ＪＩＳ（Japanese Industrial Standards）に制定されている文字に限らず、絵文字や顔文字等を含む広義の文字を意味するものである。
【００１６】
図１は、本発明の一実施の形態に係る電子機器の要部の概略構成を示す機能ブロック図である。図１に示す電子機器は、例えば、携帯電話を構成するものであり、パネル１１、触感呈示部１２、表示部１３、記憶部１４、通信部１５、制御部１６および押圧検出部１７を有する。
【００１７】
パネル１１は、そのタッチ面に対する指やスタイラスペンなどの接触対象による接触を検出するもので、抵抗膜方式、静電容量方式、光学式等のタッチ位置（接触対象の接触位置）の二次元位置情報を出力する公知のパネルからなる。パネル１１は、表示部１３上に配置される。このパネル１１からの位置情報は、制御部１６に供給される。
【００１８】
触感呈示部１２は、例えば、圧電素子を有して構成される。圧電素子は、パネル１１の裏面（タッチ面とは反対側の面）に装着され、制御部１６の制御により駆動電圧が印加されると、圧電逆効果によりパネル１１のタッチ面を振動させる。また、圧電素子は、圧電正効果により、押圧に応じて電圧を発生する（データを出力する）。これにより、制御部１６は、パネル１１のタッチ面に対する押圧荷重を検出することが可能である。なお、圧電素子は、パネル１１の面積や、振動振幅等に応じて、モノモルフ、ユニモルフ、バイモルフ等の公知の構造のものが用いられる。押圧検出部１７は、歪ゲージまたは圧電素子等により構成される。以下、押圧検出部１７は、触感呈示部１２の圧電素子を共用するものとして説明する。
【００１９】
表示部１３は、キーボード、入力文字、入力文字の変換候補、アイコン等のオブジェクトを表示するもので、例えば、液晶表示パネルや有機ＥＬ表示パネル等により構成される。この表示部１３に表示されたオブジェクトに対する接触、すなわち、表示されたオブジェクトに対応するパネル１１のタッチ面における触感呈示領域への接触は、パネル１１から出力される位置情報に基づいて制御部１６により検出される。
【００２０】
記憶部１４は、例えば、揮発性または不揮発性メモリ等を用いて構成される。この記憶部１４には、当該電子機器が実行する各種のアプリケーションプログラムの他、触感呈示部１２を駆動して指等の接触対象に対して様々な触感を呈示するための触感呈示情報が記憶される。
【００２１】
触感呈示情報は、例えば、触感呈示部１２が圧電素子を用いて構成される場合、操作者が「ブル」や「ブニ」と感じられる軟質的な触感を呈示するものとして、２００Ｈｚ〜５００Ｈｚ程度の三角波信号や正弦波信号の２〜３周期分の情報が記憶される。また、操作者が「カツ」と感じられる硬質な触感を呈示する触感呈示情報として、２００Ｈｚ〜５００Ｈｚ程度の矩形波信号の２〜３周期分の情報が記憶される。また、操作者が、押しボタンスイッチのような「カチ」と感じるクリック触感を呈示する触感呈示情報として、１００Ｈｚ〜２００Ｈｚ程度の正弦波信号または矩形波信号の１周期分の情報が記憶される。ここで、本明細書に記載されている「ブル」、「ブニ」、「カツ」、「カチ」は、操作者の感じ方を日本語で表現したものであり、実際に触感を呈示するための駆動信号は例示した通りである。また、これらの触感呈示情報は一例であって、種々の振動振幅や振動パターン等の触感呈示情報が記憶される。
【００２２】
さらに、記憶部１４には、所定の文字の一の変換候補に対して関連付けられた異なる複数の触感呈示情報が記憶される。例えば、「楽しい」等の感情や「痛い」等の感覚を表す一の変換候補に対して、その程度を「大」、「中」、「小」のようにランク付ける振動振幅や振動パターン等の異なる複数の触感呈示情報が記憶される。なお、記憶部１４は、制御部１６の内蔵メモリで構成される場合もある。
【００２３】
通信部１５は、無線通信ネットワークと無線接続して、電話、電子メール、インターネット等の通信を実行する。
【００２４】
制御部１６は、例えばＣＰＵ等からなり、記憶部１４に記憶されているアプリケーションプログラムに従って全体の動作を制御する。制御部１６は、パネル１１に接触している接触対象に対して触感を呈示する場合、パネル１１からの位置情報に基づいて、表示部１３に表示されている所定の文字に対応する触感呈示領域への接触を検知する。そして、制御部１６は、記憶部１４に記憶されている当該所定の文字に関連付けられた触感呈示情報に基づいて触感呈示部１２を駆動する。
【００２５】
図２は、図１に示したパネル１１、触感呈示部１２および表示部１３の実装構造の概略構成例を示すもので、図２（ａ）は要部断面図、図２（ｂ）は要部平面図である。表示部１３は、筐体２１内に収納保持される。表示部１３上には、弾性部材からなるインシュレータ２２を介して、パネル１１が保持される。なお、パネル１１は、図２（ｂ）に仮想線で示す表示部１３の表示領域Ａから外れた４隅に配設されたインシュレータ２２を介して表示部１３上に保持されている。
【００２６】
また、筐体２１には、表示部１３の表示領域Ａから外れたパネル１１の表面領域を覆うようにアッパカバー２３が設けられている。アッパカバー２３とパネル１１との間には、弾性部材からなる防塵用のインシュレータ２４が配設されている。
【００２７】
なお、パネル１１は、タッチ面１１ａを有する表面部材が、例えば透明フィルムやガラスで構成され、裏面部材がガラスやアクリルで構成される。そして、インシュレータ２４を介してタッチ面１１ａが押圧されると、押圧部分が押圧力に応じて微少量撓む（歪む）とともに、裏面部材を含むパネル１１の全体が微少量撓む構造となっている。
【００２８】
触感呈示部１２は、図示の例では２つの圧電素子３１を有する。圧電素子３１は、パネル１１を湾曲変位させるように、パネル１１の裏面上で、アッパカバー２３で覆われる対向する２辺の近傍にそれぞれ装着される。なお、圧電素子３１は、好適には、パネル１１の押下による撓み方向と、圧電素子３１の湾曲方向とが一致するようにパネル１１に装着される。図２では、パネル１１が平面視で長方形状を有しているので、２つの圧電素子３１は、対向する２つの長辺の近傍で長辺に沿って装着されている。なお、図２（ｂ）においては、図２（ａ）に示した筐体２１、アッパカバー２３およびインシュレータ２４の図示を省略している。
【００２９】
以下、本実施の形態に係る電子機器の動作例について、図１および図２を参照しながら説明する。
【００３０】
（第１動作例）
図３は、第１動作例における表示部１３の表示例を示す図である。この動作例では、文章作成モードにおいて、制御部１６により、記憶部１４に記憶されている異なる複数の触感呈示情報をそれぞれオブジェクト化して表示部１３の所定の領域に表示する。図３では、３つのオブジェクトｈ１、ｈ２、ｈ３を表示部１３の下側の領域に表示した例を示す。制御部１６は、パネル１１の出力に基づいて、表示部１３に表示された一のオブジェクトに対応するタッチ面１１ａの接触領域への接触を検知すると、当該一のオブジェクトに対応する触感呈示情報に基づいて触感呈示部１２を駆動する。これにより、当該一のオブジェクトの接触領域に接触している指等の接触対象Ｆに対して触感を呈示する。
【００３１】
そして、制御部１６は、パネル１１の出力に基づいて、既に文字変換が確定された変換確定文字（所定の文字）の表示領域を含む所定の触感呈示領域に、一のオブジェクトがドラッグアンドドロップ操作により移動したのを検知すると、当該一のオブジェクトに対応する触感呈示情報を当該変換確定文字に関連付けて記憶部１４に記憶する。図３では、オブジェクトｈ１が、入力が確定された「私は歯が痛い。」の文章中の「痛い」の変換確定文字の表示領域に対応する触感呈示領域にドラッグアンドドロップ操作されて、「痛い」に対して、その痛さの程度（感情）を関連付ける場合を例示している。
【００３２】
このように、第１動作例では、制御部１６は、表示部１３にそれぞれ異なる複数の触感呈示情報に対応する複数のオブジェクトを表示する。そして、一のオブジェクトに対応するタッチ面１１ａの接触領域への接触を検知すると、当該一のオブジェクトに対応する触感呈示情報に基づいて触感呈示部１２を駆動する。また、当該一のオブジェクトが表示部１３に表示されている一の変換確定文字の触感呈示領域へ移動（ドラッグアンドドロップ）したのを検知すると、当該一のオブジェクトに対応する触感呈示情報を当該一の変換確定文字に関連付ける。
【００３３】
したがって、ユーザは、所望の変換確定文字に対して、現時点の感情表現に近い触感を容易に関連付けることができる。また、その後、ユーザが、図４に示すように、表示部１３に表示されている「私は歯が痛い。」の文章中の「痛い」の変換確定文字上のタッチ面１１ａを指等の接触対象Ｆにより接触すると、「痛い」に関連付けられた触感が呈示される。
【００３４】
図３に示したようにして作成された文章は、関連付けられた触感呈示情報とともに、例えば、図１に示した電子機器と同様の構成を有する相手電子機器に電子メールとして送信される。これにより、相手電子機器のユーザに対しても、図４と同様にして、表示された受信メールの文章中の所定の文字上のタッチ面１１ａの触感呈示領域に接触することにより、触感を呈示することができる。これにより、人によって感じ方が異なる表現を、より受け取り手に分かるように、よりリアルに伝えることが可能となる。
【００３５】
（第２動作例）
図５は、第２動作例における表示部１３の表示例を示す図である。この動作例では、文章作成モードにおいて、表示部１３に表示された文字入力による未変換文字の変換候補を表示部１３の所定の表示領域に表示する。その際、異なる触感呈示情報が関連付けられている複数の同一変換候補が記憶部１４に記憶されている場合は、当該複数個の同一変換候補を同時に表示する。図５では、「いたい」の未変換文字に対して、それぞれ異なる触感呈示情報が関連付けられている３つの「痛い」の同一変換候補を含む多数の変換候補を同時に表示している場合を例示している。
【００３６】
そして、制御部１６は、パネル１１の出力に基づいて一の変換候補に対応するタッチ面１１ａの接触領域への接触を検知すると、当該一の変換候補の選択を決定して、決定された変換候補に未変換文字を変換して文字入力を確定する。これにより、変換候補に触感呈示情報が関連付けられている場合、その変換確定文字に触感呈示情報を同時に関連付ける。また、この場合、制御部１６は、タッチ面１１ａの対応する接触領域への接触を検知したタイミングで、当該変換候補に関連付けられている触感呈示情報に基づいて触感呈示部１２を駆動する。これにより、当該変換候補の接触領域に接触している指等の接触対象に対して触感を呈示する。
【００３７】
このように、第２動作例では、未変換文字を変換確定するに際して、異なる触感呈示情報が関連付けられている複数の同一変換候補がある場合、当該複数個の同一変換候補を表示部１３に同時に表示する。そして、そのうちの一の変換候補に対応するタッチ面１１ａの接触領域への接触を検知すると、当該一の変換候補に対応する触感呈示情報に基づいて触感呈示部１２を駆動するとともに、当該一の変換候補に未変換文字を変換確定する。
【００３８】
したがって、第２動作例によると、入力文字の変換操作と同時に、所望の触感呈示情報を関連付けることができるので、第１動作例と比較して、所望の触感呈示情報を関連付ける手間が省け、より迅速な入力操作が可能となる。その他の、作用効果は、第１動作例と同様である。
【００３９】
（第３動作例）
第３動作例では、文章作成モードにおいて、圧電素子３１は、パネル１１のタッチ面１１ａに対する押圧に応じて電圧（データ）を制御部１６に出力する。また、制御部１６は、表示部１３に表示された文字入力による未変換文字の変換候補を表示部１３の所定の表示領域に表示する。その際、第２動作例の場合と同様に、異なる触感呈示情報が関連付けられている複数の同一変換候補が記憶部１４に記憶されている場合は、当該複数個の同一変換候補を同時に表示する。
【００４０】
そして、制御部１６は、パネル１１の出力に基づいて一の変換候補に対応するタッチ面１１ａの接触領域への接触を検知するとともに、圧電素子３１が出力するデータを入力する。その結果、接触を検知した一の変換候補に対応するタッチ面１１ａの位置に対する押圧に基づき、圧電素子３１が出力するデータ（電圧値）が第１閾値を満たしたのを検知すると、制御部１６は、当該一の変換候補に触感呈示情報が関連付けられている場合、当該触感呈示情報に基づいて圧電素子３１を駆動する。これにより、当該一の変換候補を選択するとともに、当該一の変換候補の接触領域に接触している指等の接触対象に対して触感を呈示する。これに対し、接触を検知した一の変換候補に触感呈示情報が関連付けられていない場合、制御部１６は、第１閾値を満たした接触領域に対応する変換候補を選択し、圧電素子３１を駆動させない。
【００４１】
その後、制御部１６は、圧電素子３１が出力するデータが第１閾値よりも大きい第２閾値を満たしたのを検知すると、当該一の変換候補の選択を決定して、決定された変換候補への未変換文字の変換を確定する。これにより、変換候補に触感呈示情報が関連付けられている場合、その変換確定文字に触感呈示情報が同時に関連付ける。
【００４２】
このように、第３動作例では、圧電素子３１はパネル１１のタッチ面１１ａに対する押圧に応じて電圧（データ）を制御部１６に出力する。そして、一の変換候補に対応する接触領域に係る前記データが第１閾値を満たすと、当該変換候補を選択し、その際に、当該変換候補に触感呈示情報が関連付けられている場合は、当該触感呈示情報に基づいて触感呈示部１２（圧電素子３１）を駆動して、接触対象に触感を呈示する。その後、前記データが第２閾値を満たすと、当該一の変換候補の選択を決定して、決定された変換候補への未変換文字の変換を確定する。
【００４３】
したがって、第３動作例によると、変換候補に対応する接触領域への接触に伴う押圧（接触に係るタッチ面１１ａに対する圧力）に基づき、圧電素子３１が出力する電圧値（データ値）が、第１閾値よりも大きい第２閾値を満たしたのを検知して、入力文字の変換確定と同時に、所望の触感呈示情報を関連付けることができる。これにより、第２動作例と比較して、より確実な入力操作が可能となる。その他の、作用効果は、第２動作例と同様である。なお、本動作例においては、変換候補に触感呈示情報が関連付けられていない場合、第１閾値が満たされたときに、変換候補を選択する構成を有しているものの、第２閾値が満たされたときに、変換候補を選択する構成であってもよい。
【００４４】
なお、本発明は、上記実施の形態に限定されるものではなく、幾多の変形または変更が可能である。例えば、触感呈示部１２は、圧電素子によりパネル１１を直接的に振動させる構成に限らず、偏心モータ等を用いてパネル１１を間接的に振動させるように構成してもよい。また、第３動作例におけるように、パネル１１のタッチ面１１ａへの押圧を検出する場合は、押圧検出専用の圧電素子や歪センサをパネル１１に装着してもよい。
【００４５】
さらに、感情等の対応する触感呈示情報は、映画等の字幕があるものについて、その字幕中の所定の文字に関連付けることも可能である。このようにすれば、本発明に係る電子機器で、映画を観察しながら、その字幕に触れることにより、所定の文字に対応するタッチ面の触感呈示領域で触感を呈示できるので、臨場感を向上することが可能となる。
【００４６】
また、触感を呈示する文字は、感情等を表現する文字に限らず、任意の文字とすることができる。例えば、電子機器に配信する広告メールの文章中の任意の文字に、触感呈示情報を関連付けることも可能である。これにより、触感呈示文字を見つけたユーザにプレゼントを提供する等の広告方法が可能になる。また、例えば、図６に示すように、触感が呈示される文字により別の文字や文章を伝えるように、メール文中の任意の文字に触感呈示情報を関連付けて、メール中に暗号を入れることも可能である。図６の場合は、太字で示した「仕」、「な」、「が」、「わ」（「品川」）（実際は他の文字と同じフォント）の文字にそれぞれ触感呈示情報を関連付けた場合を示している。
【００４７】
また、上記実施の形態の説明における表示部１３およびパネル１１は、表示部１３とパネル１１との両機能を共通の基板に持たせる等により、一体化した装置によって構成されるようにしてもよい。このように表示部１３とパネル１１との両機能を一体化した装置の構成の一例としては、液晶パネルが有するマトリクス状配列の画素電極群に、フォトダイオード等の複数の光電変換素子を規則的に混在させたものを挙げることができる。この装置は、液晶パネル構造によって画像を表示する一方で、パネル表面の所望位置に接触するペンの先端で液晶表示用のバックライトの光を反射し、この反射光を周辺の光電変換素子が受光することによって、タッチ位置を検出することができる。
【００４８】
また、本発明における「接触」とは、特に、光学式のパネルを用いた場合は、パネル上の赤外線が指やスタイラスペン等で遮られた位置を検出するため、物理的な接触に限定されるものではない。
【００４９】
また、上記第３動作例では、データ（電圧）が第１閾値や第２閾値の所定の閾値を満たした際に、対応する処理を実行するが、データが所定の閾値を満たした際とは、データが所定値に達した際であってもよいし、データが所定値を超えた際でもよいし、所定値が検出された際でもよい。
【符号の説明】
【００５０】
１１  パネル
１１ａ  タッチ面
１２  触感呈示部
１３  表示部
１４  記憶部
１５  通信部
１６  制御部
１７  押圧検出部
３１  圧電素子
【図１】
2012086208.tif 000003
【図２】
2012086208.tif 000004
【図３】
2012086208.tif 000005
【図４】
2012086208.tif 000006
【図５】
2012086208.tif 000007
【図６】
2012086208.tif 000008
【手続補正書】
【提出日】平成26年3月27日(2014.3.27)
【手続補正１】
【補正対象書類名】明細書
【補正対象項目名】０００７
【補正方法】削除
【補正の内容】
【手続補正２】
【補正対象書類名】明細書
【補正対象項目名】０００８
【補正方法】変更
【補正の内容】
【０００８】
上記目的を達成する第１の観点に係る電子機器の発明は、
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、を備え、
前記制御部は、
異なる複数の触感呈示情報にそれぞれ対応する複数のオブジェクトを前記表示部に表示し、当該オブジェクトの１つと前記所定の文字とを関連付け、当該関連付けの後に、前記所定の文字に対応する前記タッチ面への接触を検出すると、前記オブジェクトの１つに対応する触感呈示情報に基づいて前記触感呈示部を駆動する、
ことを特徴とするものである。
【手続補正３】
【補正対象書類名】明細書
【補正対象項目名】０００９
【補正方法】変更
【補正の内容】
【０００９】
第２の観点に係る発明は、第１の観点に係る電子機器において、
前記制御部は、
前記複数のオブジェクトの一に対応する前記タッチ面の接触領域への接触を検知すると、当該一のオブジェクトに対応する触感呈示情報に基づいて前記触感呈示部を駆動し、当該一のオブジェクトが前記所定の文字の前記触感呈示領域へ移動したのを検知すると、当該一のオブジェクトを前記所定の文字に関連付ける、
ことを特徴とするものである。
【手続補正４】
【補正対象書類名】明細書
【補正対象項目名】００１０
【補正方法】変更
【補正の内容】
【００１０】
さらに、上記目的を達成する第３の観点に係る電子機器の発明は、
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、を備え、
前記制御部は、
前記表示部に表示された未変換文字の変換候補として、異なる触感呈示情報が関連付けられている同一変換候補を前記表示部に複数同時に表示し、該複数の同一変換候補の一に対応する前記タッチ面の接触領域への接触を検知すると、当該一の変換候補に対応する触感呈示情報に基づいて前記触感呈示部を駆動して、前記未変換文字を当該一の変換候補に変換して、当該触感呈示情報が関連付けられた前記所定の文字を表示する、
ことを特徴とするものである。
【手続補正５】
【補正対象書類名】明細書
【補正対象項目名】００１１
【補正方法】変更
【補正の内容】
【００１１】
第４の観点に係る発明は、第３の観点に係る電子機器において、
前記タッチ面に対する押圧を検出する押圧検出部を有し、
前記制御部は、
前記一の変換候補に対応する前記タッチ面の接触領域への接触に伴う押圧に基づき前記押圧検出部が出力するデータが第１閾値を満たすと、当該一の変換候補に関連付けられた触感呈示情報に基づいて前記触感呈示部を駆動し、その後、前記押圧検出部が出力するデータが前記第１閾値よりも大きい第２閾値を満たすと、前記未変換文字を当該一の変換候補に変換して、当該触感呈示情報が関連付けられた前記所定の文字を表示する、
ことを特徴とするものである。
【手続補正６】
【補正対象書類名】明細書
【補正対象項目名】００１２
【補正方法】変更
【補正の内容】
【００１２】
さらに、上記目的を達成する第５の観点に係る電子機器の発明は、
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、
無線通信ネットワークと無線接続可能な通信部と、を備え、
前記制御部は、
前記表示部に表示された文字情報を、当該文字情報に含まれる前記所定の文字に関連付けられた前記触感呈示情報とともに、前記通信部により前記無線通信ネットワークに送信する、
ことを特徴とするものである。
【手続補正７】
【補正対象書類名】特許請求の範囲
【補正対象項目名】全文
【補正方法】変更
【補正の内容】
【特許請求の範囲】
【請求項１】
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、を備え、
前記制御部は、
異なる複数の触感呈示情報にそれぞれ対応する複数のオブジェクトを前記表示部に表示し、当該オブジェクトの１つと前記所定の文字とを関連付け、当該関連付けの後に、前記所定の文字に対応する前記タッチ面への接触を検出すると、前記オブジェクトの１つに対応する触感呈示情報に基づいて前記触感呈示部を駆動する、
ことを特徴とする電子機器。
【請求項２】
前記制御部は、
前記複数のオブジェクトの一に対応する前記タッチ面の接触領域への接触を検知すると、当該一のオブジェクトに対応する触感呈示情報に基づいて前記触感呈示部を駆動し、当該一のオブジェクトが前記所定の文字の前記触感呈示領域へ移動したのを検知すると、当該一のオブジェクトを前記所定の文字に関連付ける、
ことを特徴とする請求項１に記載の電子機器。
【請求項３】
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、を備え、
前記制御部は、
前記表示部に表示された未変換文字の変換候補として、異なる触感呈示情報が関連付けられている同一変換候補を前記表示部に複数同時に表示し、該複数の同一変換候補の一に対応する前記タッチ面の接触領域への接触を検知すると、当該一の変換候補に対応する触感呈示情報に基づいて前記触感呈示部を駆動して、前記未変換文字を当該一の変換候補に変換して、当該触感呈示情報が関連付けられた前記所定の文字を表示する、
ことを特徴とする電子機器。
【請求項４】
前記タッチ面に対する押圧を検出する押圧検出部を有し、
前記制御部は、
前記一の変換候補に対応する前記タッチ面の接触領域への接触に伴う押圧に基づき前記押圧検出部が出力するデータが第１閾値を満たすと、当該一の変換候補に関連付けられた触感呈示情報に基づいて前記触感呈示部を駆動し、その後、前記押圧検出部が出力するデータが前記第１閾値よりも大きい第２閾値を満たすと、前記未変換文字を当該一の変換候補に変換して、当該触感呈示情報が関連付けられた前記所定の文字を表示する、
ことを特徴とする請求項３に記載の電子機器。
【請求項５】
表示部と、
パネルと、
該パネルのタッチ面を振動させる触感呈示部と、
前記表示部に表示された所定の文字に対応する前記タッチ面の触感呈示領域への接触を検知すると、該触感呈示領域に接触している接触対象に対して触感を呈示するように、前記所定の文字に関連付けられた触感呈示情報に基づいて前記触感呈示部を駆動する制御部と、
無線通信ネットワークと無線接続可能な通信部と、を備え、
前記制御部は、
前記表示部に表示された文字情報を、当該文字情報に含まれる前記所定の文字に関連付けられた前記触感呈示情報とともに、前記通信部により前記無線通信ネットワークに送信する、
ことを特徴とする電子機器。
【国際調査報告】
2012086208.tif 000009
2012086208.tif 000010
2012086208.tif 000011
2012086208.tif 000012